(57)【要約】【課題】１台の高所作業車により煙突の全周に足場を形成することが可能な、足場装置を提供する。【解決手段】クレーン８のブームに接続したベース足場１２に、一対の可動足場１４を開閉可能に取り付け、一対の可動足場１４を開いた状態でその間に煙突２を挿入可能とし、一対の可動足場１４を閉じた状態で煙突２の全周に足場を形成可能とし、さらに各可動足場１４の内周形状を煙突２の外周形状に沿って形成した。なお、各可動足場１４の表面にエクスパンドメタル等からなるシートを装着して足場部１５を構成する。また、一対の可動足場１４の開閉動作は油圧ジャッキ１６で行う。【選択図】　　図１
2004108079.tif 000002
【特許請求の範囲】
【請求項１】
ブームの先端に取り付けられ、水平を維持しつつ移動可能に形成されたベース足場と、
前記ベース足場に対して開閉可能に取り付けられた一対の可動足場とを有し、
前記一対の可動足場は、開いた状態で前記一対の可動足場の間に作業対象構造物が挿入可能に形成され、
前記一対の可動足場は、閉じた状態で前記作業対象構造物の全周に足場を設営可能に形成され、
前記一対の可動足場の内周形状は、前記作業対象構造物の外周形状に沿って形成されていることを特徴とする足場装置。
【請求項２】
請求項１に記載の足場装置において、
前記各可動足場の先端部は、前記一対の可動足場の開閉面内において、前記一対の可動足場から独立して回動可能に形成されていることを特徴とする足場装置。
【請求項３】
ブームの先端に取り付けられ、水平を維持しつつ移動可能に形成された正面足場と、
前記正面足場の左右両端部から前記作業対象構造物の側面に沿って延びる側面足場と、
前記側面足場の先端部から前記作業対象構造物の背面に沿って延びる背面足場とを有し、
前記背面足場は、前記作業対象構造物の背面に沿って前記側面足場から伸縮可能に形成され、
前記側面足場は、前記正面足場の左右方向にスライド可能に形成されるとともに、前記正面足場の前後方向に伸縮可能に形成されていることを特徴とする足場装置。
【発明の詳細な説明】
【０００１】
【発明の属する技術分野】
本発明は足場装置に係り、特に不要となった煙突など柱状の構造物を解体する際に好適な足場装置に関する。
【０００２】
【従来の技術】
ゴミ焼却場などで不要となった煙突を解体する場合には、図２に示すように、煙突２を輪切りに切断し、切断した煙突４を第１クレーン６で地上まで吊り下ろして解体している。煙突２を切断するには、まず高所作業車の第２クレーン８を操作して、足場装置２１０を煙突２の切断部付近に配置する。次に作業員が、足場装置２１０の上に設置されたワイヤソーのワイヤを煙突２に回し掛ける。そして、ワイヤソーを運転し、煙突２を輪切りに切断する。
【０００３】
図６に従来技術に係る足場装置２１０の説明図を示す。なお、（１）は平面図であり、（２）はＡ−Ａ線における側面断面図である。足場装置２１０は、第２クレーン８のブームに接続された正面足場２１２と、正面足場２１２の左右両端部から煙突２の背面側に延びる側面足場２１４とが一体形成されている。なお、正面足場２１２の上にはワイヤソー２０が設置され、ワイヤ２２が煙突２に回し掛けてある。この足場装置２１０を煙突２の切断部付近に配置するには、まず第２クレーン８により足場装置２１０を切断部付近の高さに上昇させる。そして、ブームを操作して足場装置２１０を煙突２に接近させ、各側面足場２１４の間に煙突２を挿入する。
【０００４】
【特許文献１】
特願２００１−２５４０２７号公報（図３）
【０００５】
【発明が解決しようとする課題】
上述したように、煙突２を切断するには、ワイヤソーのワイヤを煙突の全周に回し掛ける必要がある。その作業を行うには、煙突２の全周に足場を形成するのが好ましい。しかし、足場装置２１０は各側面足場２１４の間に煙突２を挿入することによって配置されるので、あらかじめ足場装置２１０に環状の足場を形成しておくことができない。したがって、煙突２の背面側に足場を形成することができないという問題がある。そのため、ワイヤソーのワイヤを煙突２の背面側に回し掛ける際に、作業員が側面足場２１４から身をのり出して作業を行う必要があり、作業員が足場装置２１０から落下する危険性があった。なお、別の高所作業車により別の足場装置を煙突の背面側に配置すれば、煙突２の背面側に足場を形成することはできるが、煙突の切断作業のコストを上昇させることになる。
【０００６】
本発明は上記問題点に着目し、１台の高所作業車により煙突の全周に隙間なく足場を形成することが可能な、足場装置の提供を目的とする。また、あらゆる直径の煙突の全周に足場を形成することが可能な、足場装置の提供を目的とする。
【０００７】
【課題を解決するための手段】
上記目的を達成するため、本発明に係る足場装置は、ブームの先端に取り付けられ、水平を維持しつつ移動可能に形成されたベース足場と、前記ベース足場に対して開閉可能に取り付けられた一対の可動足場とを有し、前記一対の可動足場は、開いた状態で前記一対の可動足場の間に作業対象構造物を挿入可能に形成され、前記一対の可動足場は、閉じた状態で前記作業対象構造物の全周に足場を設営可能に形成され、前記一対の可動足場の内周形状は、前記作業対象構造物の外周形状に沿って形成されている構成とした。
【０００８】
ブームにより足場装置を移動させ、一対の可動足場を開いてその間に作業対象構造物を挿入し、その後一対の可動足場を閉じれば、１台の高所作業車により、煙突の任意の位置において、その全周に足場を形成することができる。また、各可動足場の内周形状を煙突の外周形状に沿って形成しているので、煙突と足場との間に大きな隙間が生じない。したがって、煙突の全周に大きな隙間がない安全な足場を形成することができる。
【０００９】
なお、前記各可動足場の先端部が、前記一対の可動足場の開閉面内において、前記一対の可動足場から独立して回動可能に形成されている構成としてもよい。可動足場の先端部を内側に回動させて固定すれば、直径の小さな煙突に対して足場を設営することができる。また、可動足場の先端部を外側に回動させて固定すれば、直径の大きな煙突に対して足場を設営することができる。このように、あらゆる直径の煙突の全周に足場を形成することができる。
【００１０】
また、ブームの先端に取り付けられ、水平を維持しつつ移動可能に形成された正面足場と、前記正面足場の左右両端部から前記作業対象構造物の側面に沿って延びる側面足場と、前記側面足場の先端部から前記作業対象構造物の背面に沿って延びる背面足場とを有し、前記背面足場は、前記作業対象構造物の背面に沿って前記側面足場から伸縮可能に形成され、前記側面足場は、前記正面足場の左右方向にスライド可能に形成されるとともに、前記正面足場の前後方向に伸縮可能に形成されている構成とした。
【００１１】
背面足場を煙突の背面に沿って側面足場から伸縮可能に形成したので、１台の高所作業車により煙突の全周に足場を形成することができる。また、側面足場を正面足場の左右方向にスライド可能に形成するとともに、正面足場の前後方向に伸縮可能に形成したので、あらゆる直径の煙突の全周に足場を形成することができる。
【００１２】
【発明の実施の形態】
本発明に係る足場装置の好ましい実施の形態を、添付図面を用いて説明する。以下には、本発明に係る足場装置を設営する構造物として煙突を例に説明するが、他の構造物に対しても同様に本発明に係る足場装置を設営することができる。また、本発明に係る足場装置の使用方法として煙突の切断・解体を例に説明するが、他の作業にも本発明に係る足場装置を使用することができる。
【００１３】
最初に、第１実施形態について説明する。図１は第１実施形態に係る足場装置の平面図であり、図３は第１実施形態に係る足場装置の側面図である。
【００１４】
図２に、第１実施形態に係る足場装置１０を使用した構造物解体装置の側面図を示す。構造物の解体は、高所作業車の第２クレーン８に接続した足場装置１０を煙突２の切断部付近に配置し、足場装置１０に設置したワイヤソーで煙突２を切断し、切断・分離した煙突４を第１クレーン６で吊り上げて地上に吊り下ろすことによって行う。なお図２は、切断・分離した煙突４を第１クレーン６によって地上に吊り下ろす寸前の状況を図示している。第２クレーン８のブームに接続した足場装置１０は、角度調整シリンダ等の水平保持機構９（図３参照）により、ブームの起伏角度に応じて水平状態を維持できるように形成する。
【００１５】
ところで、足場を煙突に固定して設営すると、その足場が強風により倒壊するおそれがある。この点、上述したように高所作業車により足場を設営すれば、強風の際に簡単に足場を取り外して作業を中断することができる。したがって、足場の設営コストを削減できるとともに、作業者の危険を回避することができる。また、煙突の劣化状況に対応して切断部を自在に変更することができるなど、切断作業の段取り替えを容易に行うことができる。
【００１６】
図１に第１実施形態に係る足場装置の平面図を示す。第１実施形態に係る足場装置１０は、ワイヤソーを搭載するベース足場１２と、作業対象構造物の全周に足場を形成する可動足場１４とによって構成する。ベース足場１２の上部フレームには、エクスパンドメタル等を編み込んだシートを装着し、通風性、軽量性、強度および耐久性等を確保する。そのベース足場１２の上部フレームと下部フレームとの間に、一対の可動足場１４を取り付ける。なお図１の下半部は、ベース足場１２の上部フレームを取り外した状態である。具体的には、ベース足場１２の下部フレームにピンなどで支点１３を形成し、可動足場１４の基端部を前記ピンに嵌合させて、可動足場１４が支点１３の周りを回動しうるように取り付ける。そして、一対の可動足場１４を開いた状態で、一対の可動足場１４相互の距離が、煙突の直径より大きくなるように形成する。これにより、一対の可動足場の間に煙突を取り込むことができる。
【００１７】
一方、ベース足場１２から突出した可動足場１４のフレームには、エクスパンドメタル等を編み込んだシートを装着して、足場部１５を形成する。なお、可動足場１４の足場部１５およびベース足場の外周部には手すり１９（図３参照）を設けて、作業者の落下を防止する。また、可動足場１４における足場部１５の内周形状は、解体すべき煙突の外周形状に沿って形成する。そして、一対の可動足場１４を閉じた状態で、煙突のほぼ全周に隙間なく足場を設営できるように形成する。なお、一対の可動足場１４を閉じた状態で、各可動足場１４の先端部が重なり合うように形成してもよい。これにより、直径の大きな煙突に対しても、その全周に足場を設営することができる。
【００１８】
一対の可動足場１４を開閉するため、油圧ジャッキ１６を設ける。具体的には、油圧ジャッキ１６におけるシリンダおよびロッドの一方をベース足場１２のフレームに接続し、他方を可動足場１４のフレームに接続する。なお、一対の可動足場１４に対して、それぞれ油圧ジャッキ１６を接続する。また、ベース足場１２の先端部にレール１７を敷設し、可動足場１４の中央部にはスライダ１８を固定して、可動足場１４の回動とともにスライダ１８がレール１７上を滑るようにする。これにより、可動足場１４を円滑に回動することが可能となり、また可動足場１４の自重によるたわみを防止することができる。
【００１９】
なお、可動足場の先端部が独立して回動しうるように形成してもよい。図４に可動足場の変形例の説明図を示す。先端部６５を可動足場６４から分離して可動足場６４にピン結合することにより、先端部６５が独立して回動しうるようになる。また、先端部６５には位置決め孔６７を設け、可動足場６４にも位置決め孔６６を設けて、両者に位置決めピン６８を挿入する。これにより、先端部６５を回動方向に固定することができる。なお、可動足場６４には複数の位置決め孔６６を設けて、先端部を任意の位置で固定し得るようにする。そして、可動足場６４の先端部６５を内側に回動させて固定すれば、直径の小さな煙突に対して足場を設営することができる。また、可動足場６４の先端部６５を外側に回動させて固定すれば、直径の大きな煙突に対して足場を設営することができる。このように、あらゆる直径の煙突に対して足場を設営できるようになる。
【００２０】
次に、上述した第１実施形態に係る足場装置を使用して、不要になった煙突を解体する方法について説明する。
まず、図２に示す足場装置１０に作業員が乗り込む。次に、高所作業車の第２クレーン８を伸張させて、ブームに接続した足場装置１０を煙突２の切断部付近まで上昇させる。ここで、図１に示す足場装置１０の油圧ジャッキ１６を伸張させ、一対の可動足場１４を１４ｂのように開いた状態とする。次に、第２クレーン８のブームの起伏角度を調整して可動足場１４ｂを移動させ、一対の可動足場１４ｂの間に煙突２を挿入する。その際、図３に示す水平保持機構９により足場装置１０を水平に保持した状態で移動させ、作業員の落下を防止する。
【００２１】
次に、図１に示す足場装置１０の油圧ジャッキ１６を収縮させ、一対の可動足場１４を閉じた状態とする。可動足場１４の足場部１５の内周形状は、煙突２の外周形状に沿って形成しているので、一対の可動足場１４を閉じることにより、煙突２のほぼ全周にほぼ隙間なく足場が形成される。その後、作業員が、ワイヤソー２０のワイヤ２２（図６参照）を煙突２の全周に回し掛ける。その際、煙突２の背面側にも足場が形成されているので、作業員は足場装置１０から身をのり出して作業する必要がなく、作業員が足場装置１０から落下するおそれはない。また、作業工具等が足場装置１０から落下するおそれもない。
【００２２】
その後、ワイヤソーを運転して、煙突２を輪切りに切断する。そして、図２に示すように、切断した煙突４を第１クレーン６により吊り上げ、地上まで吊り下ろして解体する。
【００２３】
次に、残った煙突２をさらに輪切りにするため、足場装置１０を次の切断部付近に移動させる。まず、図１に示す足場装置１０の油圧ジャッキ１６を伸張させ、一対の可動足場１４を１４ｂのように開いた状態とする。次に、第２クレーン８のブームの起伏角度を調整して足場装置１０を移動させ、一対の可動足場１４ｂの間から煙突２を退出させる。次に、第２クレーン８を収縮させ、煙突２の次の切断部付近まで足場装置１０を下降させる。その後は、上記と同様に足場装置１０を配置して、煙突２を切断すればよい。以上の作業を繰り返すことにより、煙突２の全体を解体する。
【００２４】
上述した第１実施形態に係る足場装置により、１台の高所作業車により煙突の全周に足場を形成することができる。
すなわち、第１実施形態に係る足場装置は、ブームに接続したベース足場に、一対の可動足場を開閉可能に取り付け、一対の可動足場を開いた状態で煙突を挿入可能とし、閉じた状態で煙突の全周に足場を設営可能とし、さらに各可動足場の内周形状を煙突の外周形状に沿って形成した。ブームにより足場装置を移動させ、一対の可動足場を開いてその間に煙突を挿入し、その後一対の可動足場を閉じれば、１台の高所作業車により、煙突の任意の位置において、その全周に足場を形成することができる。また、各可動足場の内周形状を煙突の外周形状に沿って形成しているので、煙突と足場との間に大きな隙間が生じない。したがって、煙突の全周に大きな隙間なく足場を形成することができる。これにより、作業員や作業工具の落下を防止することができる。
【００２５】
次に、第２実施形態について説明する。図５に第２実施形態に係る足場装置の平面図を示す。
第２実施形態に係る足場装置１１０は、クレーン８のブームに接続されて水平を維持しつつ移動可能に形成され、煙突２の正面に配置される正面足場１１２と、正面足場１１２の左右両端部から煙突２の側面に沿って延びる側面足場１１４と、側面足場１１４の先端部から煙突２の背面に沿って延びる背面足場１１６とで構成する。正面足場１１２は、角度調整シリンダ等の水平保持機構を介してブームに接続し、ブームの起伏角度に応じて水平状態を維持できるようにする。また側面足場１１４は、正面足場１１２の左右方向１１２ａにスライド可能とするとともに、正面足場１１２の前後方向１１２ｂに伸縮可能とする。なおかつ、左右方向１１２ａおよび前後方向１１２ｂの任意の位置で、側面足場１１４を正面足場１１２に固定できるように形成する。さらに背面足場１１６は、煙突の背面に沿って側面足場１１４から伸縮可能とし、なおかつ任意の位置で側面足場１４に固定できるように形成する。なお、各足場には手すり１１８を設けて、作業員が落下するのを防止する。
【００２６】
第２実施形態では、以下の方法により煙突を解体する。まず、背面足場１１６を側面足場１１４側に収縮させる。次に、側面足場１１４を左右方向１１２ａにスライドさせ、一対の側面足場１１４相互の幅を煙突２の直径以上に設定する。そして、一対の側面足場１１４の間に煙突２を挿入する。次に、側面足場１１４を前後方向１１２ｂに伸縮させ、さらに背面足場１１６を側面足場１１４から伸張させて、背面足場１１６を煙突の背面に配置する。以上により、煙突の全周に足場が形成される。
【００２７】
上述した第２実施形態に係る足場装置では、背面足場を煙突の背面に沿って側面足場から伸縮可能に形成したので、１台の高所作業車により煙突の全周に足場を形成することができる。また、側面足場を正面足場の左右方向にスライド可能に形成するとともに、正面足場の前後方向に伸縮可能に形成したので、あらゆる直径の煙突の全周に足場を形成することができる。なお、同じ煙突でも低い位置ほど直径が大きくなるが、第２実施形態に係る足場装置を使用すれば、煙突のあらゆる高さに足場を設営することができる。
【００２８】
【発明の効果】
ブームの先端に取り付けられ、水平を維持しつつ移動可能に形成されたベース足場と、前記ベース足場に対して開閉可能に取り付けられた一対の可動足場とを有し、前記一対の可動足場は、開いた状態で前記一対の可動足場の間に作業対象構造物を挿入可能に形成され、前記一対の可動足場は、閉じた状態で前記作業対象構造物の全周に足場を設営可能に形成され、前記一対の可動足場の内周形状は、前記作業対象構造物の外周形状に沿って形成されている構成としたので、１台の高所作業車により、煙突の全周に足場を形成することができる。
【図面の簡単な説明】
【図１】第１実施形態に係る足場装置の平面図である。
【図２】構造物解体装置の側面図である。
【図３】第１実施形態に係る足場装置の側面図である。
【図４】可動足場の変形例の説明図である。
【図５】第２実施形態に係る足場装置の平面図である。
【図６】従来技術に係る足場装置の説明図であり、（１）は平面図であり、（２）はＡ−Ａ線における側面断面図である。
【符号の説明】
１０………足場装置、１２………ベース足場、１３………支点、１４，１４ｂ………可動足場、１５………足場部、１６………油圧ジャッキ、１７………レール、１８………スライダ。
【図１】
2004108079.tif 000003
【図２】
2004108079.tif 000004
【図３】
2004108079.tif 000005
【図４】
2004108079.tif 000006
【図５】
2004108079.tif 000007
【図６】
2004108079.tif 000008